(57)【要約】【課題】高さを変えることができるとともに、他の箱体に着脱自在な箱体を提供する。【解決手段】箱体１であって、筒状の胴部１０と、胴部１０の下側の開口部を覆っている底板２０と、胴部１０の上側の開口部を覆っている頂板３０と、を備えている。胴部１０は、底板２０に連設された前後の端壁１１，１１と、両端壁１１，１１に取り付けられた左右の側壁１２，１２と、を有している。胴部１０の外周面には、端壁１１の側端部１１ｃおよび側壁１２の側端部１２ｃが突出している。端壁１１の側端部１１ｃの下縁部および側壁１２の側端部１２ｃの下縁部には、板状部材を差し込み可能な凹部１５ａ，１５ｂが形成されている。【選択図】図６
2019054960.tif 000002
【特許請求の範囲】
【請求項１】
筒状の胴部と、
前記胴部の下側の開口部を覆っている底板と、
前記胴部の上側の開口部を覆っている頂板と、を備え、
前記胴部は、
前記底板の前後の縁部に連設された前後の端壁と、
前記両端壁に取り付けられた左右の側壁と、を有し、
前記胴部の外周面には、前記端壁の側端部および前記側壁の側端部が突出しており、
前記端壁の側端部の下縁部および前記側壁の側端部の下縁部には、板状部材を差し込み可能な凹部が形成されていることを特徴とする箱体。
【請求項２】
複数の箱体を連結した箱連結体であって、
前記箱体は、
筒状の胴部と、
前記胴部の下側の開口部を覆っている底板と、
前記胴部の上側の開口部を覆っている頂板と、を備え、
前記胴部は、
前記底板の前後の縁部に連設された前後の端壁と、
前記両端壁に取り付けられた左右の側壁と、を有し、
前記胴部の外周面には、前記端壁の側端部および前記側壁の側端部が突出しており、
前記端壁の側端部の下縁部および前記側壁の側端部の下縁部には、板状部材を差し込み可能な凹部が形成され、
一方の前記箱体の前記凹部に、前記板状部材の一端が差し込まれているとともに、
他方の前記箱体の前記凹部に、前記板状部材の他端が差し込まれていることを特徴とする箱連結体。
【発明の詳細な説明】
【技術分野】
【０００１】
本発明は、箱体および箱連結体に関する。
【背景技術】
【０００２】
椅子や机として使用する段ボール製の箱体としては、筒状の胴部と、胴部の上側の開口部を覆っている頂板と、を備えているものがある（例えば、特許文献１参照）。
【先行技術文献】
【特許文献】
【０００３】
【特許文献１】実用新案登録第３１００１８０号公報
【発明の概要】
【発明が解決しようとする課題】
【０００４】
二つの箱体を用意し、一方の箱体を椅子とし、他方の箱体を机とした場合に、椅子の座面と机の上面とが同じ高さであると、利用者が椅子に座ったときに机を使い難い。そこで、前記した従来の箱体では、椅子用の箱体とは別に、椅子用の箱体よりも高い机用の箱体を用意している。
しかしながら、災害時の避難所などにおいて箱体を使用する場合には、寸法の異なる複数の種類の箱体を用意するのが難しいという問題がある。また、寸法の異なる複数の種類の箱体を用意しようとすると、製造コストが高くなるという問題がある。
また、前記した従来の箱体では、同じ箱体を並べて、ベッドとして使用したときに、箱体同士が離間してしまう可能性がある。
【０００５】
本発明は、前記した問題を解決し、高さを変えることができるとともに、他の箱体に着脱自在な箱体およびその箱体を用いた箱連結体を提供することを課題とする。
【課題を解決するための手段】
【０００６】
前記課題を解決するため、本発明は、箱体であって、筒状の胴部と、前記胴部の下側の開口部を覆っている底板と、前記胴部の上側の開口部を覆っている頂板と、を備えている。前記胴部は、前記底板の前後の縁部に連設された前後の端壁と、前記両端壁に取り付けられた左右の側壁と、を有している。前記胴部の外周面には、前記端壁の側端部および前記側壁の側端部が突出している。前記端壁の側端部の下縁部および前記側壁の側端部の下縁部には、板状部材を差し込み可能な凹部が形成されている。
【０００７】
本発明の箱体では、凹部に板状部材の上部を差し込み、箱体の前後または左右に板状部材を取り付けることで、箱体を高くすることができる。このように、本発明の箱体は、使用目的に応じて高さを容易に変えることができる。また、箱体から板状部材を取り外すことで、箱体の高さを容易に戻すことができる。
本発明の箱体では、底板が設けられているため、頂板を開閉することで、胴部内に物品を収納することができる。
【０００８】
本発明では、一方の前記箱体の前記凹部に、前記板状部材の一端を差し込むとともに、他方の前記箱体の前記凹部に、前記板状部材の他端を差し込むことで、複数の箱体を連結した箱連結体を形成することができる。
【０００９】
このように、本発明では、箱体同士を容易かつ確実に連結することができるため、箱連結体を使用したときに箱体同士が離間するのを防ぐことができる。
なお、一方の箱体の凹部に板状部材の上部を差し込むとともに、他方の箱体の凹部に板状部材の上部を差し込むことで、箱体同士を連結しつつ、箱連結体の高さを変えることもできる。
【発明の効果】
【００１０】
本発明の箱体によれば、使い勝手の良い椅子、机またはベッドなどの家具を災害時に提供することができる。また、複数の同じ箱体を用いて家具を形成することができるため、製造コストを低減することができる。また、多数の箱体の部品を備蓄し易いとともに、交換部品を用意し易い。さらに、複数の箱体を連結した箱連結体を使用したときに、箱体同士が離間するのを防ぐことができる。
【図面の簡単な説明】
【００１１】
【図１】本発明の実施形態に係る箱体における胴部を示した分解斜視図である。
【図２】本発明の実施形態に係る箱体の側壁に中間壁を取り付ける段階を示した斜視図である。
【図３】本発明の実施形態に係る箱体の側壁に中間壁を取り付けた状態を示した斜視図である。
【図４】本発明の実施形態に係る箱体の胴部に頂板を取り付ける段階を示した斜視図である。
【図５】本発明の実施形態に係る箱体の頂板を開いた状態を示した斜視図である。
【図６】本発明の実施形態に係る箱体を示した斜視図である。
【図７】本発明の実施形態に係る箱体に高さ調整板を取り付ける段階を示した斜視図である。
【図８】本発明の実施形態に係る箱体に高さ調整板を取り付けた状態を示した斜視図である。
【図９】本発明の実施形態に係る箱体に連結板を取り付ける段階を示した斜視図である。
【図１０】本発明の実施形態に係る箱連結体を示した斜視図である。
【発明を実施するための形態】
【００１２】
本発明の実施形態について、適宜図面を参照しながら詳細に説明する。
以下の説明において、前後左右方向とは、本実施形態の箱体および箱連結体を説明する上で便宜上設定したものであり、箱体および箱連結体の構成を限定するものではない。
【００１３】
本実施形態の箱体１は、図６に示すように、災害時の避難所などにおいて椅子または机として使用することができる。さらに、図１０に示すように、複数の箱体１を連結した箱連結体２をベッドとして使用することができる。
【００１４】
箱体１は、図６に示すように、角筒状の胴部１０と、胴部１０の下側の開口部を覆っている底板２０と、胴部１０の上側の開口部を覆っている頂板３０と、を備えている。箱体１は、段ボール製の複数のシートを組み合わせることで形成されている。
【００１５】
底板２０は、図１に示すように、四角形の平板である。底板２０の前縁部には、図２に示すように、前側の端壁１１が垂直に立ち上げられるとともに、底板２０の後縁部には、後側の端壁１１が垂直に立ち上げられている。端壁１１は、四角形の平板であり、前後の端壁１１，１１は同じ形状である。
【００１６】
端壁１１は、二枚の平板１１ａ，１１ｂを内外に重ねた二重壁である。図１に示すように、内側の平板１１ａは、底板２０の前後の縁部に罫線を介して連設されている。外側の平板１１ｂは、底板２０および内側の平板１１ａから独立しており、内側の平板１１ａの外面に重ねられている。
【００１７】
端壁１１の左右方向の長さは、図２に示すように、底板２０の左右方向の長さよりも大きく形成されている。端壁１１の左右の側端部１１ｃ，１１ｃは、底板２０の左右の縁部よりも突出している。
【００１８】
前後の端壁１１，１１には、図２に示すように、左右の側壁１２，１２が取り付けられている。
側壁１２は、図１に示すように、四角形の平板であり、一枚のシートを二つ折りにして重ねた二重壁である。
側壁１２の前後方向の長さは、底板２０の前後方向の長さよりも大きく形成されている。側壁１２の前後の側端部１２ｃ，１２ｃは、底板２０の前後の縁部よりも突出している。
【００１９】
図２に示すように、側壁１２の上縁部に形成された凹部と、端壁１１の下縁部に形成された凹部とを組み合わせることで、側壁１２の前部が前側の端壁１１に取り付けられるとともに、側壁１２の後部が後側の端壁１１に取り付けられている。
これにより、前後の端壁１１，１１および左右の側壁１２，１２によって、角筒状の胴部１０が形成されている。
【００２０】
胴部１０の左右の外面には、前後の端壁１１，１１の側端部１１ｃ，１１ｃが突出している。また、胴部１０の前後の外面には、左右の側壁１２，１２の側端部１２ｃ，１２ｃが突出している。このように、胴部１０の外周面には、前後の端壁１１，１１および左右の側壁１２，１２の側端部１１ｃ，１２ｃが突出している。
【００２１】
端壁１１の左右の側端部１１ｃ，１１ｃの下縁部には、図１に示すように、上方に向けて窪んでいる第一凹部１５ａ，１５ａが形成されている。
左右の第一凹部１５ａ，１５ａの間隔は、底板２０の左右方向の長さと同じ大きさである。つまり、左右の第一凹部１５ａ，１５ａの間に底板２０が配置されている。
【００２２】
側壁１２の側端部１２ｃの下縁部には、上方に向けて窪んでいる第二凹部１５ｂが形成されている。
前後の第二凹部１５ｂ，１５ｂの間隔は、底板２０の前後方向の長さと同じ大きさである。つまり、前後の第二凹部１５ｂ，１５ｂの間に底板２０が配置されている。
【００２３】
第一凹部１５ａおよび第二凹部１５ｂの溝幅は、後記する高さ調整板５１（図８参照）および連結板５２（図１０参照）の厚さと同一か僅かに狭く形成されている。また、第一凹部１５ａおよび第二凹部１５ｂに連結板５２（図８参照）を差し込んだときに、連結板５２の下縁部が胴部１０の下縁部よりも下方に突出しないように、第一凹部１５ａおよび第二凹部１５ｂの高さが形成されている。
【００２４】
左右の側壁１２，１２の上縁部の中央部には、図３に示すように、中間壁１３が取り付けられている。中間壁１３は、左右の側壁１２，１２の上縁部に形成された凹部に差し込まれている。
中間壁１３は、図２に示すように、四角形の平板であり、二枚の平板を重ねた二重壁である。中間壁１３の左右方向の長さは、端壁１１の左右方向の長さと同じ長さに形成されている。したがって、中間壁１３の左右の側端部１３ｃ，１３ｃは、図３に示すように、胴部１０の外周面から突出している。
【００２５】
頂板３０は、図６に示すように、左右一対の分割頂板３０ａ，３０ａによって形成されている。左右の分割頂板３０ａ，３０ａが胴部１０の左右方向の中央部において突き合わされることで、胴部１０の上側の開口部が塞がれている。
分割頂板３０ａは、図４に示すように、下板３１と、下板３１の外縁部に連設された外側板３２と、外側板３２の上縁部に連設された上板３３と、上板３３の内縁部に連設された内側板３４と、を備えている。
【００２６】
下板３１は、前後方向に帯状に延びている。下板３１の前後方向の長さは、側壁１２の前後方向の長さと同じである。
外側板３２は、下板３１の外縁部に罫線を介して連設されており、下板３１に対して垂直に立ち上げられている。
上板３３は、外側板３２の上縁部に罫線を介して連設されており、外側板３２に対して垂直に延びている。上板３３は、胴部１０の内側に向けて延びている。上板３３は、下板３１に平行している。上板３３の左右方向の長さは、端壁１１の左右方向の長さの半分の大きさである。
内側板３４は、上板３３の内縁部に罫線を介して連設されており、上板３３に対して垂直に垂れ下がっている。
【００２７】
下板３１の内縁部に形成された凹部を、前後の端壁１１，１１の側端部１１ｃ，１１ｃおよび中間壁１３の側端部１３ｃに形成された凹部に組み合わせることで、下板３１が胴部１０の側面に取り付けられている（図５参照）。
また、内側板３４の下縁部に形成された凹部を、前後の端壁１１，１１の上縁部および中間壁１３の上縁部に形成された凹部に組み合わせることで、内側板３４が胴部１０の上部に取り付けられている。
【００２８】
本実施形態の箱体１は、図６に示すように、椅子として使用することができる。本実施形態の箱体１では、端壁１１、側壁１２および中間壁１３が二重壁であるため、椅子として十分な強度が確保されている。
【００２９】
本実施形態の箱体１では、端壁１１、側壁１２、中間壁１３および頂板３０は、差し込み式によって組み立てられているため、接着剤やテープを用いることなく、容易に組み立てることができる。また、箱体１が損傷したときには、損傷した部位を容易に交換することができる。さらに、箱体１の使用後には容易に分解することができる。
【００３０】
本実施形態の箱体１では、図５に示すように、分割頂板３０ａの下板３１に対して外側板３２、上板３３および内側板３４を傾動させることで、頂板３０を開閉することできる。本実施形態の箱体１では、底板２０が設けられているため、頂板３０を開閉させることで、胴部１０内に物品を収納することができる。
【００３１】
本実施形態の箱体１では、図８に示すように、二枚の高さ調整板５１，５１を取り付けて上面を高くすることができる。
高さ調整板５１は、図７に示すように、二枚の段ボール製のシートを重ねた板状部材である。高さ調整板５１は、四角形に形成されており、左右方向の長さは、端壁１１の左右方向の長さと同じである。
【００３２】
箱体１を高くする場合には、図８に示すように、胴部１０の前面において、左右の第二凹部１５ｂ，１５ｂに、前側の高さ調整板５１の上部を差し込む。同様に、胴部１０の後面において、左右の第二凹部１５ｂ，１５ｂ（図１参照）に後側の高さ調整板５１の上部を差し込む。
【００３３】
このようにして、箱体１に高さ調整板５１の上部を取り付けると、高さ調整板５１の下部は胴部１０の下縁部よりも下方に突出する。これにより、二枚の高さ調整板５１，５１が脚部となり、箱体１が高くなる。
【００３４】
そして、高さ調整板５１を取り付けた箱体１を机として使用し、高さ調整板５１を取り付けていない箱体１（図６参照）を椅子として使用すると、椅子の座面よりも机の上面が高くなるため、箱体１を机として使い易くなる。
【００３５】
なお、本実施形態では、箱体１の前後に高さ調整板５１を取り付けているが、両端壁１１，１１の側端部１１ｃ，１１ｃに形成された第一凹部１５ａ，１５ａに高さ調整板の上部を差し込むことで、箱体１を高くすることもできる。つまり、箱体１の左右に高さ調整板を取り付けてもよい。
【００３６】
本実施形態の箱体１は、図１０に示すように、複数の箱体１を連結板５２によって連結することで、箱連結体２を形成することができる。この箱連結体２は、災害時の避難所などにおいて仮設のベッドや複数人掛けの椅子などとして使用することができる。
連結板５２は、図９に示すように、一枚の段ボール製のシートを二つ折りにして重ねた板状部材である。連結板５２は、四角形に形成されている。図１０に示すように、連結板５２を第一凹部１５ａおよび第二凹部１５ｂに差し込んだときに、連結板５２が胴部１０の下縁部から下方に突出しないように、連結板５２の高さが形成されている。
【００３７】
前後に並べた二つの箱体１，１を連結する場合には、図９に示すように、前側の箱体１の後端部と後側の箱体１の前端部とを突き合せる。
そして、図１０に示すように、前側の箱体１の後側の第一凹部１５ａに、連結板５２の前部を差し込む。また、後側の箱体１の前側の第一凹部１５ａに、連結板５２の後部を差し込む。
これにより、前後の箱体１，１が連結板５２によって連結される。なお、前後の箱体１，１を一枚の連結板５２によって連結することもできるが、二枚の連結板５２を用いて、前後の箱体１，１の左右両側を連結することが好ましい。
【００３８】
左右に並べた二つの箱体１，１を連結する場合には、図９に示すように、左側の箱体１の右端部と右側の箱体１の左端部とを突き合せる。
そして、図１０に示すように、左側の箱体１の右側の第二凹部１５ｂに、連結板５２の左側部を差し込む。また、右側の箱体１の左側の第二凹部１５ｂに、連結板５２の右側部を差し込む。
これにより、左右の箱体１，１が連結板５２によって連結される。なお、左右の箱体１，１を一枚の連結板５２によって連結することもできるが、二枚の連結板５２を用いて、左右の箱体１，１の前後両側を連結することが好ましい。
なお、図１０で示される箱連結体２は、箱体２を前後および左右に各々二つずつ連結したものであるが、連結板５２を使用することで、箱体２を任意の方向に任意の数だけ連結した箱連結体２を得ることができる。
【００３９】
本実施形態の箱体１によれば、前後または左右に並べた箱体１に連結板５２を取り付けることで、複数の箱体１を容易かつ確実に連結することができる。これにより、災害時の避難所において、箱連結体２をベッドなどとして使用することができ、さらに、箱連結体２を使用したときに、箱体１が離間するのを防ぐことができる。
【００４０】
なお、第一凹部１５ａおよび第二凹部１５ｂに連結板５２の上部を差し込み、連結板５２の下部を胴部１０の下縁部よりも下方に突出させた場合には、箱体１同士を連結しつつ、箱連結体２を高くすることができる。このようにすることで、箱連結体２を大きな机として使用することもできる。
【００４１】
以上のような本実施形態の箱体１では、図６、図８および図１０に示すように、高さ調整板５１または連結板５２の板状部材を箱体１に着脱することで、使い勝手の良い椅子、机またはベッドなどの家具を災害時に提供することができる。
また、複数の同じ箱体１を用いて各種の家具を形成することができるため、製造コストを低減することができる。また、多数の箱体１の部品を備蓄し易いとともに、交換部品を用意し易い。
【００４２】
以上、本発明の実施形態について説明したが、本発明は前記実施形態に限定されることなく、その趣旨を逸脱しない範囲で適宜に変更が可能である。
本実施形態の箱体１では、図６に示すように、端壁１１および側壁１２が二重壁に形成されているが、端壁１１および側壁１２を一枚の壁によって形成してもよい。
また、図７に示す高さ調整板５１および図９に示す連結板５２も一枚の板によって形成してもよい。
【００４３】
本実施形態では、頂板３０が左右の分割頂板３０ａ，３０ａによって形成されているが、頂板３０を一つの部材によって形成してもよい。
【符号の説明】
【００４４】
１      箱体
２      箱連結体
１０    胴部
１１    端壁
１１ｃ  側端部
１２    側壁
１２ｃ  側端部
１３    中間壁
１３ｃ  側端部
１５ａ  第一凹部
１５ｂ  第二凹部
２０    底板
３０    頂板
３０ａ  分割頂板
３１    下板
３２    外側板
３３    上板
３４    内側板
５１    調整板
５２    連結板
【図１】
2019054960.tif 000003
【図２】
2019054960.tif 000004
【図３】
2019054960.tif 000005
【図４】
2019054960.tif 000006
【図５】
2019054960.tif 000007
【図６】
2019054960.tif 000008
【図７】
2019054960.tif 000009
【図８】
2019054960.tif 000010
【図９】
2019054960.tif 000011
【図１０】
2019054960.tif 000012